(57)【特許請求の範囲】
【請求項１】
回転電機と、
前記回転電機を囲い複数個に分割された風道と
を有し、
前記風道は、
前記回転電機の上側に配された複数の風道上板と、
前記風道上板と固定され前記風道上板の下側において前記回転電機の側方に配された複数の風道側板と、
隣接する前記風道側板同士の合わせ目を覆うように前記風道側板に固定された合わせ目板と、
前記風道側板の下側と基礎とに固定された複数の風道脚板と、
前記風道側板と前記風道脚板との間に配され、前記風道脚板に対する前記風道側板の高さを変更する風道側板高さ調整部と
を有する発電機。
【請求項２】
前記風道側板高さ調整部は、
前記風道側板の高さを変更することにより、前記風道側板に固定された、前記風道上板の水平状態を調整する
請求項１に記載の発電機。
【請求項３】
前記風道上板は、
それぞれ内周側端部が前記回転電機の一部分に、外周側端部が前記風道側板に固定され、
前記風道側板高さ調整部は、
前記風道側板の高さを変更することにより、前記風道上板における外周側端部が内周側端部の高さと同一になるよう水平状態を調整する
請求項２に記載の発電機。
【請求項４】
前記風道側板は、
前記風道脚板に穿設された上下方向に沿う長穴内部の任意の位置でボルトにより前記風道脚板に固定されている
請求項３に記載の発電機。
【請求項５】
前記合わせ目板は、
前記風道側板における、前記回転電機とは逆側の側面に固定される
請求項１に記載の発電機。
【請求項６】
前記合わせ目板は、
上下方向に沿う前記合わせ目を塞ぐ
請求項５に記載の発電機。
【発明の詳細な説明】
【技術分野】
【０００１】
本発明は、発電機に関し、例えば回転電機の周囲に風道が配された発電機に適用して好適なものである。
【背景技術】
【０００２】
従来、回転電機において、回転電機内の鉄損や銅損等による熱の放出を図る方法として、ダクトを用いて建屋外に空気を放出する出口管通風方式や、冷却空気や冷却水を別途取り込み、回転電機内に設けた冷却装置を介して回転電機内の空気を循環冷却する全閉方式等がある。これらの方式の回転電機は、固定子の外周側に空気の循環経路である風道を有している（例えば、特許文献１及び特許文献２参照）。
【０００３】
このような発電機としては、風道が、例えば４個や８個等、複数個に分割されたものがある。風道は、水平方向に沿うように回転電機の上側に配され複数個に分割された風道上板と、鉛直方向に沿うように回転電機の側方に配され複数個に分割された風道側板とにより構成される。この風道は、隣接する風道側板同士の合わせ目において、互いの合わせ目部分が合わせられ、ボルトで締め付けられる。
【０００４】
また風道は、風道の底面において設定されたレベルに予め打設された基礎コンクリ―トに施工された溝と、風道側板における下端部とコンクリート取付部との間に、ジャッキ等が入れられ風道側板が持ち上げられて風道上板の水平レベルが調整されることにより、該風道の組立が行われる。また風道側板と基礎コンクリートとの結合部は、アンカーボルト等で締め付けられる。
【先行技術文献】
【特許文献】
【０００５】
【特許文献１】実開昭５６−４４５６７号公報
【特許文献２】実開昭６１−１９５７５０号公報
【発明の概要】
【発明が解決しようとする課題】
【０００６】
しかしながら、風道における合わせ目の付近に歪みが発生している場合、隣接する風道同士の間に隙間が発生するため、風道内部から外部へ空気が漏れ、回転電機の冷却効果が悪化してしまう。このため、風道における特に合わせ目部分の歪み取り作業に多大な時間を要してしまった。
【０００７】
また、風道上板の水平レベルを調整するためにジャッキ等を使用する場合、基礎コンクリートの溝の底面と風道側板との間に隙間が生じたり、想定よりも溝の底面が高い場合は風道上板の水平レベルの調整できなかったりしていた。さらに、新たな発電機を設置する際に、既存の基礎コンクリート面を流用する場合があり、その場合は、特に調整が困難であった。またさらに、溝の位置を誤って施工していた場合や、回転電機の組み立てで風道の位置がずれた場合に、溝を施工し直すことができず、風道上板の水平レベルが調整できない場合があった。すなわち従来の発電機では、風道の水平レベルの調整が困難な場合があった。
【０００８】
このように従来の発電機においては、風道における歪み取り作業に多大な時間を要すると共に、風道の水平レベル調整の作業が困難な場合があった。
【０００９】
本発明は以上の点を考慮してなされたもので、風道の歪み取り作業及び水平レベル調整作業を簡素化し得る発電機を提案しようとするものである。
【課題を解決するための手段】
【００１０】
かかる課題を解決するため本発明の発電機においては、回転電機と、回転電機を囲い複数個に分割された風道とを設け、風道は、回転電機の上側に配された複数の風道上板と、風道上板と固定され風道上板の下側において回転電機の側方に配された複数の風道側板と、隣接する風道側板同士の合わせ目を覆うように風道側板に固定された合わせ目板と、風道側板の下側と基礎とに固定された複数の風道脚板と、風道側板と風道脚板との間に配され、風道脚板に対する風道側板の高さを変更する風道側板高さ調整部とを有するようにした。
【００１１】
本発明は、風道の合わせ目に隙間が空いていたとしても該隙間を合わせ目板により塞ぐことができると共に、風道自体で風道の水平レベルの調整を行うことができる。
【発明の効果】
【００１２】
本発明によれば、風道の歪み取り作業及び水平レベル調整作業を簡素化し得る発電機を実現できる。
【図面の簡単な説明】
【００１３】
【図１】立軸同期発電機の構成（１）を示す斜視図である。
【図２】立軸同期発電機の構成（２）を示し、（Ａ）は平面図、（Ｂ）は正面図である。
【図３】立軸同期発電機の構成（３）を示し、図２におけるＡ−Ａ矢視断面図である。
【図４】風道側板及び合わせ目板の構成を示し、図１におけるＡ部の拡大斜視図である。
【図５】風道側板、風道脚板、合わせ目板及び風道側板高さ調整部の構成を示し、図１におけるＢ部を、風道側板の内側から見た場合の拡大斜視図である。
【図６】風道上板の構成を示す平面図である。
【図７】風道側板の構成を示す側面図である。
【図８】風道脚板の構成を示す側面図である。
【図９】風道脚板及び基礎コンクリートの構成を示す側面図である。
【図１０】合わせ目板の構成を示す側面図である。
【図１１】風道側板及び合わせ目板の構成を示し、（Ａ）は合わせ目板の一部拡大側面図、（Ｂ）は（Ａ）におけるＣ−Ｃ矢視断面図である。
【図１２】風道側板高さ調整部の構成を示し、（Ａ）は風道側板を最も持ち上げた状態、（Ｂ）は風道側板を最も持ち下げた状態である。
【図１３】立軸同期発電機の組み立て手順（１）を示し、図２におけるＢ−Ｂ矢視断面図である。
【図１４】立軸同期発電機の組み立て手順（２）を示し、（Ａ）は平面図、（Ｂ）は正面図である。
【図１５】立軸同期発電機の組み立て手順（３）を示し、（Ａ）は平面図、（Ｂ）は正面図である。
【図１６】立軸同期発電機の組み立て手順（４）を示し、図２におけるＢ−Ｂ矢視断面図である。
【図１７】立軸同期発電機の組み立て手順（５）を示し、図２におけるＢ−Ｂ矢視断面図である。
【発明を実施するための形態】
【００１４】
以下、本発明を実施するための形態（以下実施の形態とする）について、図面を用いて説明する。
【００１５】
［１．立軸同期発電機の構成］
図１、図２及び図３に示すように、立軸同期発電機１は、回転電機１０と、該回転電機１０における固定子１４の外側に設けられた風道４０とにより構成されている。以下では、平面視で風道側板４４（後述する）から回転子１２へ向かう方向を内周方向とし、回転子１２から風道側板４４へ向かう方向を外周方向とする。また内周方向と外周方向とに沿う方向を径方向とも呼ぶ。さらに径方向に関し、回転子１２に近接する側を内側又は内周側とも呼び、風道側板４４に近接する側を外側又は外周側とも呼ぶ。
【００１６】
［２．回転電機の構成］
回転電機１０は、立形回転電機であり、例えば発電所の内部において、基礎コンクリート７０の上に設置されており、主に、回転子１２、固定子１４、固定子枠１６、上部ベアリングブラケット１８、下部ベアリングブラケット２０及び空気冷却器２２により構成されている。
【００１７】
回転子１２は、回転電機１０の中心に設けられており、回転する電機子である。固定子１４は、回転子１２の外周側に設けられており、固定子枠１６に固定された電機子である。上部ベアリングブラケット１８は、固定子１４の上側に配され固定子枠１６に支持されており、回転子１２の上側を回転可能に軸支する。下部ベアリングブラケット２０は、固定子１４の下側に配され回転子１２の下側を回転可能に軸支する。空気冷却器２２は、回転電機１０の前後左右端部に設けられ、空気を冷却して風道４０内へ放出する。
【００１８】
かかる構成において、立軸同期発電機１は、空気冷却器２２で空気を冷却して風道４０内へ放出する。この空気は、図２及び図３に矢印で示したように、風道４０の内部を循環し、固定子巻線２４、ローターコイル２６、磁極鉄心２８及び固定子鉄心３０等を冷却した後、空気冷却器２２により再度冷却され、上述した通風経路を循環する。
【００１９】
［３．風道の構成］
風道４０は、平面視で八角形、すなわち全体として中空の八角柱形状であり、複数個に分割された板状部材が互いに固定されることにより形成されている。この風道４０は、内部空間に回転電機１０を収容することにより、回転電機１０の上側及び側方を囲い、回転電機１０との間に、通風経路を形成している。この風道４０は、それぞれ薄板形状である金属製の８枚の風道上板４２、風道側板４４、風道脚板４６及び合わせ目板５２を有している。このように風道４０は、複数個に分割された板状部材が、設置される発電所において組み立てられる。このため風道４０は、風道４０の製造難易度を下げると共に、輸送しやすくし、発電所の搬入口を通過しやすくしている。
【００２０】
図６に示すように、風道上板４２は、略台形状であり、上面が水平方向に沿うように回転電機１０の上側に配され、互いに隣接する箇所に適宜穿設されたボルト孔部において、ボルトにより互いに固定されている。この風道上板４２は、内周側端部が上部ベアリングブラケット１８の円弧形状に合わせて湾曲していると共に、外周側端部が風道側板４４の上端部の形状に合わせて直線形状となっている。また風道上板４２は、内周側端部が上部ベアリングブラケット１８の上板に載ると共にボルトにより上部ベアリングブラケット１８に固定されている。さらに風道上板４２は、外周側端部が風道側板４４の上面に載ると共にボルトにより風道側板４４に固定されている。
【００２１】
図７に示すように、風道側板４４は、外側面が略正方形状であり、鉛直方向に沿うように回転電機１０の側方に配されており、回転電機１０の前方、右前方、右方、右後方、後方、左後方、左方及び左前方の周囲８面をそれぞれ囲っている。この風道側板４４は、上端部の長手方向の長さが、風道上板４２の外周側端部の長手方向の長さとほぼ同一になっている。また風道側板４４は、上端部に風道上板４２の外周側端部を載せ風道上板４２を下側から支持すると共に適宜穿設されたボルト孔部においてボルトにより風道上板４２に固定されている。さらに風道側板４４は、下端部が風道脚板４６の外側面に接触すると共に適宜穿設されたボルト孔部において締付けボルト５８（図５、図９及び図１２）により風道脚板４６に固定されている。この隣接する風道側板４４同士の間には、上下方向に沿う隙間である合わせ目４５（図４及び図１１）が形成されている。なお図５においては、一方の風道側板４４を図示し、該風道側板４４に隣接する他方の風道側板４４は図示せず省略している。
【００２２】
図５、図８及び図９に示すように、風道脚板４６は、英大文字の「Ｌ」のような形状であり、風道側板４４の下端部における内側と、基礎コンクリート７０との間に配されている。この風道脚板４６は、長手方向の長さが、風道側板４４の下端部の長手方向の長さと同一になっている。また風道脚板４６は、脚板水平部４８及び脚板鉛直部５０を有している。脚板水平部４８は、風道脚板４６における下端部に形成され水平方向に沿っている。脚板鉛直部５０は、脚板水平部４８における外周側端部から鉛直方向に沿って上方へ屈曲し延びている。この脚板鉛直部５０には、鉛直方向に延びる複数個の長穴であるボルト長孔部５１（図５及び図１２）が穿設されている。また風道脚板４６は、脚板鉛直部５０の外側面に風道側板４４の下端部を接触させると共にボルト長孔部５１内における任意の上下位置において締付けボルト５８により風道側板４４に固定されていることにより、風道側板４４を下側から支持する。また風道脚板４６は、適宜穿設されたボルト孔部においてアンカーボルト６０により基礎コンクリート７０に固定されている。
【００２３】
このように風道４０は、鉛直方向に沿い風道上板４２を下から支える側板を、上側の風道側板４４と、下側の風道脚板４６とに、上下に２分割した構成となっている。
【００２４】
図４、図５、図１０及び図１１に示すように、合わせ目板５２は、径方向の厚さが薄く風道側板４４とほぼ同一の長さで鉛直方向に延びる直方体状であり、短手方向の中央部が合わせ目４５に位置するように、合わせ目４５における外周側面に配されている。このため合わせ目板５２は、合わせ目４５を上端部から下端部までに亘って外周側から覆っている。また合わせ目板５２は、適宜穿設されたボルト孔部において、ボルトにより、短手方向の一端側が隣接する一方の風道側板４４に、短手方向の他端側が隣接する他方の風道側板４４に、それぞれ固定されている。
【００２５】
これに加えて、風道側板４４の下端部近傍と風道脚板４６との間には、図２、図５及び図１２に示すように、風道側板高さ調整部５４が設けられている。この風道側板高さ調整部５４は、風道脚板４６における長手方向の両端部に設けられている。風道側板高さ調整部５４は、ジャッキ用座５５、ジャッキボルト用座５６、ジャッキボルト５７及び締付けボルト５８により構成されている。なお図５では、ジャッキボルト５７は図示せず省略している。ジャッキ用座５５は、風道脚板４６における脚板水平部４８の上面と脚板鉛直部５０の内周側面とに固定されており、ジャッキボルト５７の下端部をその上面に当接させる。ジャッキボルト用座５６は、風道側板４４の内周側においてジャッキ用座５５の上方に固定されており、鉛直方向に沿って穿設された孔部の内周面にねじ溝が刻設され、ジャッキボルト５７を該孔部に貫通させる。ジャッキボルト５７は、ジャッキボルト用座５６の孔部を貫通しており、作業者によって時計回り又は反時計回りに回転されることにより、ボルト長孔部５１内部において仮締めされた締付けボルト５８を鉛直方向に沿って摺動させつつ、風道脚板４６に対する風道側板４４の鉛直方向の位置（すなわち高さ）を変更する。締付けボルト５８は、ジャッキボルト５７が任意の方向へ回転され、風道側板４４の高さ（すなわち風道上板４２の水平状態）が決定されると、その状態で、ボルト長孔部５１における上下方向の任意の位置で締め付けられる。
【００２６】
［４．立軸同期発電機の組み立て手順］
次に、立軸同期発電機１の組み立て手順について説明する。まず、図１３に示すように、予め設定されたレベルに基礎コンクリート７０が打設され、ステーターベース６２及び下部ベース６４、固定子枠１６、上部ベアリングブラケット１８の順に組み立てられ、ピアノ線、水準器や治具等が用いられることにより、固定子１４、上部ベアリングブラケット１８及び下部ベアリングブラケット２０の水平レベルの調整及び芯出しが行われる。
【００２７】
続いて、図１４に示すように、固定子１４の周囲に、風道脚板４６が締付けボルト５８で仮合わせされて組み込まれた８枚の風道側板４４が配置され、それぞれの風道側板４４同士の間の合わせ目４５に、合わせ目板５２がボルトで仮合わせされる。
【００２８】
続いて、図１５に示すように、８枚の風道上板４２が、それぞれ、内周側端部が上部ベアリングブラケット１８の上板に、外周側端部が風道側板４４の上面に載せられ、内周側端部が上部ベアリングブラケット１８にボルトで仮合わせされ、外周側端部が風道側板４４にボルトで仮合わせされることにより、風道上板４２の正規の位置決めが行われ、風道上板４２と風道側板４４とが仮組立される。なお図１５においては、１枚の風道上板４２が上部ベアリングブラケット１８及び風道側板４４の上側に載せられた状態を示している。
【００２９】
続いて、図１６に示すように、８枚の風道側板４４に関し、それぞれ、水準器が用いられつつ風道側板高さ調整部５４のジャッキボルト５７（図１２）が回転されて風道側板４４の上下方向の位置が変更されることにより、風道上板４２の外周側端部が内周側端部の高さと同一になるよう、風道上板４２の水平レベルが調整される。続いて、それぞれの合わせ目板５２が風道側板４４にボルトで締め付けられることにより、風道側板４４と合わせ目板５２とが組み立てられる。
【００３０】
続いて、図１７に示すように、風道上板４２が、上部ベアリングブラケット１８と風道側板４４とにボルトで締め付けられることにより、風道上板４２が組み立てられる。続いて、風道脚板４６が基礎コンクリート７０にアンカーボルト６０（図９）で締め付けられて固定されることにより、立軸同期発電機１が組み立てられる。
【００３１】
［５．効果等］
風道４０は、製造時や搬送時に歪みが発生することがある。特に、歪みが風道側板４４の合わせ目４５部分に発生した場合には、隣接する風道側板４４同士の間に隙間ができてしまうため、合わせ目４５を介し風道４０の内部から外部へ空気が漏れてしまい、冷却効果が低下してしまう。このため、風道側板４４の歪みを取る必要があるが、風道側板４４のサイズが大きくなるほど、歪み取りに時間がかかってしまい、特に合わせ目４５部分の歪み取りには多大な時間がかかってしまっていた。
【００３２】
これに対し立軸同期発電機１は、隣接する風道側板４４同士の隙間である合わせ目４５を十分に外側から覆うように、風道側板４４とは別部品である合わせ目板５２を風道側板４４に固定するようにした。このため立軸同期発電機１は、隣接する風道側板４４同士の間に多少の隙間が空いていたとしても、該隙間を合わせ目板５２により塞ぐことができる。
【００３３】
これにより立軸同期発電機１は、従来のように、隣接する風道側板４４同士の間の隙間を可能な限り無くすまで風道側板４４の歪み取りを行う必要をなくし、風道側板４４の歪み取りに要する作業時間を大幅に削減できる。かくして立軸同期発電機１は、歪み取りに要する作業時間を大幅に削減しつつ、風道側板４４同士の間の合わせ目４５を塞ぐことができ、風道４０の内部から外部へ空気が漏れにくくし、冷却効果を改善させることができる。
【００３４】
また従来の発電機においては、基礎コンクリートの状態によっては、風道の水平レベルの調整が困難な場合があった。特に、基礎コンクリートを流用する場合の多くは発電所が大変古いものであり、その場合、基礎コンクリートの施工がどうなっているのか不明である。このため、鉄筋や石が出てくる場合があり、基礎の掘削が困難である。また従来、既存の基礎コンクリートと風道との間に隙間ができた場合、コンクリートで埋めるものの、古い基礎コンクリートと新しいコンクリートとの間に割れが発生するため、古いコンクリートの表面を掘削し、荒らす必要がある。しかしながら上述したように基礎の掘削が困難であるため、風道の水平レベルの調整が困難であった。一方、既存の基礎コンクリートが想定よりも高い位置にあった場合、風道が基礎コンクリートと干渉するため、基礎の掘削が必要となる。しかしながら上述したように基礎の掘削が困難であるため、風道の水平レベルの調整が困難であった。
【００３５】
これに対し立軸同期発電機１は、風道４０の側板を上側の風道側板４４と下側の風道脚板４６とに上下に２分割し、風道側板４４と風道脚板４６との間に、風道脚板４６に対する風道側板４４の高さを変更する風道側板高さ調整部５４を設けるようにした。このため立軸同期発電機１は、風道側板４４の高さを変更することにより、該風道側板４４が支持する風道上板４２の外周側端部の高さを変更し、風道上板４２の水平レベルを調整できる。これにより立軸同期発電機１は、基礎コンクリート７０に状態に関わらず、風道４０自体における基礎取付部分で風道上板４２の水平レベルの調整を行うことができる。
【００３６】
さらに、立軸同期発電機１は、風道４０の水平レベルの調整を行うために設ける基礎コンクリートの溝の施工を不要にできる。
【００３７】
以上の構成によれば立軸同期発電機１は、回転電機１０と、回転電機１０を囲い複数個に分割された風道４０とを設け、風道４０は、回転電機１０の上側に配された複数の風道上板４２と、風道上板４２と固定され風道上板４２の下側において回転電機１０の側方に配された複数の風道側板４４と、隣接する風道側板４４同士の合わせ目４５を覆うように風道側板４４に固定された合わせ目板５２と、風道側板４４の下側と基礎コンクリート７０とに固定された複数の風道脚板４６と、風道側板４４と風道脚板４６との間に配され、風道脚板４６に対する風道側板４４の高さを変更する風道側板高さ調整部５４とを有するようにした。
【００３８】
これにより立軸同期発電機１は、風道４０の合わせ目４５に隙間が空いていたとしても該隙間を合わせ目板５２により塞ぐことができると共に、風道４０自体で風道４０の水平レベルの調整を行うことができる。
【００３９】
［６．他の実施の形態］
なお上述した実施の形態においては、風道４０を平面視で八角形、すなわち全体として八角柱形状とする場合について述べた。本発明はこれに限らず、風道４０を平面視で円形、すなわち全体として円筒形状としたり、平面視で他の多角形としたりしても良い。特に、風道４０の形状が平面視で円形である場合、多角形の場合に対し成型が困難であり、歪みが大きくなる傾向にあるため、本発明の効果を顕著に奏する。
【００４０】
また上述した実施の形態においては、合わせ目板５２を風道側板４４の外側面に固定する場合について述べた。本発明はこれに限らず、合わせ目板５２を風道側板４４の内外側面側に固定しても良い。要は、合わせ目板５２は、合わせ目４５を塞ぐことができれば良い。
【００４１】
さらに上述した実施の形態においては、風道脚板４６にボルト長孔部５１を形成する場合について述べた。本発明はこれに限らず、風道側板４４にボルト長孔部５１を形成しても良い。
【００４２】
さらに上述した実施の形態においては、合わせ目板５２を金属製とする場合について述べた。本発明はこれに限らず、合わせ目４５を塞ぐことができ、十分な耐久性を有していれば、他の種々の素材により合わせ目板５２を形成しても良い。
【００４３】
さらに上述した実施の形態においては、回転電機としての回転電機１０と、風道としての風道４０とによって、発電機としての立軸同期発電機１を構成し、そのうち風道は、風道上板としての風道上板４２と、風道側板としての風道側板４４と、合わせ目板としての合わせ目板５２と、風道脚板としての風道脚板４６と、風道側板高さ調整部としての風道側板高さ調整部５４とによって構成する場合について述べた。本発明はこれに限らず、その他種々の構成でなる回転電機と、風道とによって発電機を構成し、そのうち風道は、種々の構成でなる風道上板と、風道側板と、合わせ目板と、風道脚板と、風道側板高さ調整部とによって構成しても良い。
【産業上の利用可能性】
【００４４】
本発明は、回転電機の周囲に風道が配された発電機において利用できる。
【符号の説明】
【００４５】
１……立軸同期発電機、１０……回転電機、１２……回転子、１４……固定子、１６……固定子枠、１８……上部ベアリングブラケット、２０……下部ベアリングブラケット、２２……空気冷却器、２４……固定子巻線、２６……ローターコイル、２８……磁極鉄心、３０……固定子鉄心、４０……風道、４２……風道上板、４４……風道側板、４５……合わせ目、４６……風道脚板、４８……脚板水平部、５０……脚板鉛直部、５１……ボルト長孔部、５２……合わせ目板、５４……風道側板高さ調整部、５５……ジャッキ用座、５６……ジャッキボルト用座、５７……ジャッキボルト、５８……締付けボルト、６０……アンカーボルト、６２……ステーターベース、６４……下部ベース、７０……基礎コンクリート。
【要約】
【課題】風道の歪み取り作業及び水平レベル調整作業を簡素化する。
【解決手段】立軸同期発電機１は、回転電機１０と、回転電機１０を囲い複数個に分割された風道４０とを設け、風道４０は、回転電機１０の上側に配された複数の風道上板４２と、風道上板４２と固定され風道上板４２の下側において回転電機１０の側方に配された複数の風道側板４４と、隣接する風道側板４４同士の合わせ目４５を覆うように風道側板４４に固定された合わせ目板５２と、風道側板４４の下側と基礎コンクリート７０とに固定された複数の風道脚板４６と、風道側板４４と風道脚板４６との間に配され、風道脚板４６に対する風道側板４４の高さを変更する風道側板高さ調整部５４とを有する。
【選択図】図３【図１】
0006970261.tif 000002
【図２】
0006970261.tif 000003
【図３】
0006970261.tif 000004
【図４】
0006970261.tif 000005
【図５】
0006970261.tif 000006
【図６】
0006970261.tif 000007
【図７】
0006970261.tif 000008
【図８】
0006970261.tif 000009
【図９】
0006970261.tif 000010
【図１０】
0006970261.tif 000011
【図１１】
0006970261.tif 000012
【図１２】
0006970261.tif 000013
【図１３】
0006970261.tif 000014
【図１４】
0006970261.tif 000015
【図１５】
0006970261.tif 000016
【図１６】
0006970261.tif 000017
【図１７】
0006970261.tif 000018